【手続補正書】
【提出日】平成20年7月31日(2008.7.31)
【手続補正１】
【補正対象書類名】明細書
【補正対象項目名】特許請求の範囲
【補正方法】変更
【補正の内容】
【特許請求の範囲】
【請求項１】  複数の受信されたサブフレームを含むデータを受信し、
少なくとも受信されたデータに基づいて将来のデータを予測し、
予測された将来のデータを記憶し、
複数の受信されたサブフレームの中の１つと関連したタイムスタンプを予定された値だけ増加することを含むデータを予測する方法。
【請求項２】  複数の受信されたサブフレームの中の１つと関連したタイムスタンプを予定された値だけ増加することが、前記将来のデータを予測する前に行われる請求項１の方法。
【請求項３】  受信されたデータの固定ストリングをテストし、
テストが修正を必要とすることを示すならばテストされた固定ストリングを修正することをさらに含む請求項１によるデータを予測する方法。
【請求項４】  タイムスタンプが予定された最大値を有し、方法は
タイムスタンプが予定された最大値にあることを検出し、
タイムスタンプが予定された最大値にあることの検出に応答してタイムスタンプを修正することをさらに含む請求項３によるデータを予測する方法。
【請求項５】  予測された将来のデータがパリティビットを含み、方法は
予測された将来のデータの他のビットの状態に基づいて予測された将来のデータのパリティビットを再計算することをさらに含む請求項１によるデータを予測する方法。
【請求項６】  予測された将来のデータが検査合計ビットを含み、方法は
予測された将来のデータの他のビットの状態に基づいて予測された将来のデータの検査合計ビットを再発生することをさらに含む請求項１によるデータを予測する方法。
【請求項７】  予測された将来のデータを記憶することがバッファの予定の位置で予測された将来のデータを記憶することを含む請求項１によるデータを予測する方法。
【請求項８】  予測された将来のデータを記憶することが増加されたタイムスタンプに基づく前記予定の位置を選択することをさらに含む請求項７によるデータを予測する方法。
【請求項９】  複数の受信されたサブフレームの中の１つと関連したタイムスタンプを予定された値だけ増加することが、前記予測された将来のデータを記憶した後に行われる請求項１の方法。
【請求項１０】  複数の受信されたサブフレームの中の１つと関連したタイムスタンプを予定された値だけ増加することが、少なくとも前記受信すること、記憶することおよび予測することと同時に行われる請求項１の方法。
【請求項１１】  送信機からのデータを受信し、
受信されたデータと関連したタイムスタンプを予定された値だけ増加し、
増加されたタイムスタンプを用いて受信されたデータに基づいて将来のデータを予測し、
予測された将来のデータをバッファに記憶し、
時間間隔を定義する予測要求を受け取り、
バッファからの時間間隔に対応する予測された将来のデータを得、
予測された将来のデータを送信することを含む予測されたデータを提供する方法。
【請求項１２】  ＧＰＳ信号のサブフレームを受信し、
受信されたサブフレームをバッファに記憶し、
受信されたサブフレームのＴＯＷを変更しかつＣＲＣを再発生することによって次の対応するサブフレームを予測し、
受信されたサブフレームと関連したタイムスタンプを予定された値だけ増加することを含む方法。
【請求項１３】  サブフレームを予測することが次のフレームで受信されたサブフレームの位置推算歴データを繰り返すことによって位置推算歴データを予測することをさらに含む請求項１２の方法。
【請求項１４】  サブフレームを予測することが次の５０フレームで受信されたサブフレームの位置推算歴データを繰り返すことによって位置推算歴データを予測することをさらに含む請求項１２の方法。
【請求項１５】  正規のＴＬＭメッセージがサブフレームを予測することに使用される請求項１２の方法。
【請求項１６】  最新の暦のデータ変化の表が保持されることによって、サブフレームを予測することが最新の知られている暦のデータを含んでいる請求項１２の方法。
【請求項１７】  サブフレームを予測することが古い予測を使用する請求項１２の方法。
【請求項１８】  ＧＰＳ信号のサブフレームを受信し、
受信されたサブフレームをバッファに記憶し、
受信されたサブフレームのＴＯＷを変更しかつＣＲＣを再発生することによって次の対応するサブフレームを予測することのできるプロセッサと、
予測されたサブフレームを記憶するメモリとを含む装置。
【請求項１９】  プロセッサが次のフレームで受信されたサブフレームの位置推算歴データを繰り返すことによって位置推算歴データをさらに予測することができる請求項１８の装置。
【請求項２０】  プロセッサが次の５０フレームで受信されたサブフレームの位置推算歴データを繰り返すことによって位置推算歴データをさらに予測することができる請求項１８の装置。
【請求項２１】  プロセッサがサブフレームを予測することにおいて正規のＴＬＭメッセージを使用する請求項１８の装置。
【請求項２２】  最新の暦のデータ変化の表が保持されることによって、サブフレームを予測するが最新の知られている暦のデータを含む請求項１８の装置。
【請求項２３】  プロセッサがサブフレームを予測するのに古い予測を使
用する請求項１８の装置。
【請求項２４】  サブフレームが暦のサブフレームであるかどうか決定し、
サブフレームが暦のサブフレームであるかどうかに基づいてタイムヘッドを設定し、
ＴＯＷに設定されたタイムヘッドを加算し、
ＴＯＷの値に基づいてＴＬＭメッセージを設定し、
予測されたサブフレームのＣＲＣを発生し、
予測されたサブフレームをバッファに記憶することを含むＧＰＳ信号のサブフレームを予測する方法。
【請求項２５】  バッファのサイズが予測されたサブフレームの数に基づいて変化する請求項２４のＧＰＳ信号のサブフレームを予測する方法。
【請求項２６】  ＴＯＷの値が週の秒数よりも少ないかどうかを決定することをさらに含む請求項２４のＧＰＳ信号のサブフレームを予測する方法。
【請求項２７】  バッファ内の予測されたサブフレームの位置を計算することをさらに含む請求項２４のＧＰＳ信号のサブフレームを予測する方法。
【請求項２８】  有効なフラグを設定することをさらに含む請求項２４のＧＰＳ信号のサブフレームを予測する方法。
【請求項２９】  中央サイトでＳＶの暦のデータを更新する方法であって、
サブフレームのページＩＤを引出し、
ページＩＤが第１の評価基準に基づいて有効であるかどうかを決定し、
第１の評価基準に基づくページＩＤの有効性に基づいてバッファから古いおよび新しいＴＯＷを引出し、
古いＴＯＷと最後の暦の更新時間が同じであるかどうかを決定し、
古いＴＯＷと最後の暦の更新時間が同じであるかどうかに基づいて暦の更新表をリセットし、
新しいＴＯＷと最後の暦の時間が同じであるかどうかを決定し、
新しいＴＯＷと最後の暦の更新時間が同じであるかどうかに基づいて暦の更新処理を終了し、
ページＩＤが第２の評価基準に基づいて有効であるかどうかを決定し、
ページＩＤが第２評価基準に基づいて有効であるかどうかに基づいて暦の更新処理を終了し、
サブフレームが暦の更新表で有効であるかどうかを決定し、
サブフレームが暦の更新表で有効であるかどうかに基づいて、サブフレームを暦の更新表に記憶し、サブフレームのために有効なフラグを設定し、かつサブフレーム予測処理を開始し、
サブフレームが暦の更新表で有効であるかどうかに基づいて、暦の更新表からすべての有効なサブフレームを引出し、このＳＶの予測されたサブフレームの語２-１０を取り替え、かつサブフレーム予測処理を実行することを含む方法。
【請求項項３０】  サブフレームの予測が中央サイトで実行可能であるかどうかを決定する方法であって、
ＳＶからサブフレームを受信し、
サブフレームの語のあるビットがゼロであるかどうかを決定し、
語のビットがゼロであることが決定されたならば、サブフレームをバッファに記憶し、
語のビットがゼロでないことが決定されたならば、受信されたサブフレームのすべてのビットを逆にして、それらをバッファに記憶し、
サブフレームヘッダーが有効であるかどうかを決定し、
サブフレームヘッダーが有効であるかどうかに基づいて処理を終了しかつ次のサブフレームを待機し、
すべての語についてＣＲＣの有効性をチェックし、
すべての語のＣＲＣが有効であるかどうかに基づいて処理を終了しかつ次のサブフレームを待機し、
受信された最後のＴＬＭメッセージと異なっているかどうかを見るためＴＬＭメッセージをチェックし、
ＴＬＭメッセージが受信された最後のＴＬＭと異なっているかどうかに基づいて正規のＴＬＭメッセージとしてＴＬＭメッセージを設定し、
受信された最後のＴＬＭメッセージとしてＴＬＭメッセージを記憶し、
このサブフレームについて有効な予測があるかどうかを決定し、
このサブフレームに有効な予測があるかどうかに基づいてサブフレーム予測を実行し、
受信されたおよび予測されたＴＯＷが一致するかどうかを決定し、
受信されたおよび予測されたＴＯＷが一致するかどうかに基づいてサブフレーム予測を実行し、
受信されたおよび予測されたＴＯＷが一致するかどうかに基づいて受信されたおよび予測されたサブフレーム間に完全な一致があるかどうかを決定し、
受信されたおよび予測されたサブフレーム間に完全な一致があるかどうかに基づいて誤り符号を決定しかつ誤りを記録し、
サブフレームが暦のサブフレームであるかどうかを決定し、
サブフレームが暦のサブフレームであるかどうかに基づいて暦の更新を実行し、
サブフレーム予測を実行することを含む方法。
【請求項３１】  中央サイトでＧＰＳ信号のサブフレームを予測する装置であって、
サブフレームが暦のサブフレームであるかどうかを決定し、
サブフレームが暦のサブフレームであるかどうかに基づいてタイムヘッドを設定し、
設定されたタイムヘッドをＴＯＷに加算し、
ＴＯＷの値に基づいてＴＬＭメッセージを設定し、
予測されたサブフレームのためにＣＲＣを発生することができるプロセッサと、
予測されたサブフレームを記憶するメモリとを含む装置。
【請求項３２】  メモリのサイズが予測されたサブフレームの数に基づいて変化する請求項３１のＧＰＳ信号のサブフレームを予測する装置。
【請求項３３】  プロセッサはさらにＴＯＷの値が週の秒数よりも少ないかどうかを決定することができる請求項３１のＧＰＳ信号のサブフレームを予測する装置。
【請求項３４】  プロセッサはさらにメモリ内の予測されたサブフレームの位置を計算することができる請求項３１のＧＰＳ信号のサブフレームを予測する装置。
【請求項３５】  プロセッサはさらに有効なフラグを設定することができる請求項３１のＧＰＳ信号のサブフレームを予測する装置。
【請求項３６】  中央サイトでＳＶの暦のデータを更新する装置であって、
サブフレームを記憶するメモリと、
サブフレームのページＩＤを引出し、
ページＩＤが第１の評価基準に基づいて有効であるかどうかを決定し、
第１の評価基準に基づくページＩＤの有効性に基づいてバッファから古いおよび新しいＴＯＷを引出し、
古いＴＯＷと最後の暦の更新時間が同じであるかどうかを決定し、
古いＴＯＷと最後の暦の更新時間が同じであるかどうかに基づいて暦の更新表をリセットし、
新しいＴＯＷと最後の暦の時間が同じであるかどうかを決定し、
新しいＴＯＷと最後の暦の更新時間が同じであるかどうかに基づいて暦の更新処理を終了し、
ページＩＤが第２の評価基準に基づいて有効であるかどうかを決定し、
ページＩＤが第２評価基準に基づいて有効であるかどうかに基づいて暦の更新処理を終了し、
サブフレームが暦の更新表で有効であるかどうかを決定し、
サブフレームが暦の更新表で有効であるかどうかに基づいて、サブフレームを暦の更新表に記憶し、サブフレームのために有効なフラグを設定し、かつサブフレーム予測処理を開始し、
サブフレームが暦の更新表で有効であるかどうかに基づいて、暦の更新表からすべての有効なサブフレームを引出し、このＳＶの予測されたサブフレームの語２-１０を取り替え、かつサブフレーム予測処理を実行することができるプロセッサとを含む装置。
【請求項３７】  サブフレームの予測が中央サイトで実行可能であるかどうかを決定する装置であって、
サブフレームを記憶するメモリと、
メモリからサブフレームを検索し、
サブフレームの語のあるビットがゼロであるかどうかを決定し、
語のビットがゼロであることが決定されたならば、サブフレームをメモリに戻して記憶し、
語のビットがゼロでないことが決定されたならば、受信されたサブフレームのすべてのビットを逆にして、それらをメモリに戻して記憶し、
サブフレームヘッダーが有効であるかどうかを決定し、
サブフレームヘッダーが有効であるかどうかに基づいて処理を終了しかつ次のサブフレームを待機し、
すべての語についてＣＲＣの有効性をチェックし、
すべての語のＣＲＣが有効であるかどうかに基づいて処理を終了しかつ次のサブフレームを待機し、
受信された最後のＴＬＭメッセージと異なっているかどうかを見るためＴＬＭメッセージをチェックし、
ＴＬＭメッセージが受信された最後のＴＬＭと異なっているかどうかに基づいて正規のＴＬＭメッセージとしてＴＬＭメッセージを設定し、
受信された最後のＴＬＭメッセージとしてＴＬＭメッセージをメモリに記憶し、
このサブフレームについて有効な予測があるかどうかを決定し、
このサブフレームに有効な予測があるかどうかに基づいてサブフレーム予測を実行し、
受信されたおよび予測されたＴＯＷが一致するかどうかを決定し、
受信されたおよび予測されたＴＯＷが一致するかどうかに基づいてサブフレーム予測を実行し、
受信されたおよび予測されたＴＯＷが一致するかどうかに基づいて受信されたおよび予測されたサブフレーム間に完全な一致があるかどうかを決定し、
受信されたおよび予測されたサブフレーム間に完全な一致があるかどうかに基づいて誤り符号を決定しかつ誤りを記録し、
サブフレームが暦のサブフレームであるかどうかを決定し、
サブフレームが暦のサブフレームであるかどうかに基づいて暦の更新を実行し、
サブフレーム予測を実行することができるプロセッサとを含む装置。
【請求項３８】  ＧＰＳ信号を受信し、かつ情報を送信する受信機と、
ＧＰＳ信号のサブフレームを含んでいる受信機から情報を受信し、
受信されたサブフレームをバッファに記憶し、
受信されたサブフレームのＴＯＷを変更しかつＣＲＣを再発生することにより次の対応するサブフレームを予測することができるプロセッサと、
予測されたサブフレームを記憶するメモリとを含むシステム。